(57)【要約】移動端末の位置情報を獲得するために、移動端末から自動でプログラムを動作させて位置情報を獲得した後、与えられた条件を満足すれば、位置基盤サービスサーバーに伝送することによって、位置情報関連サーバーの負荷を最小化した移動通信端末の自動位置登録方法が開示されている。本発明の方法は、ＬＢＳサーバーが移動通信端末に内蔵された位置情報アプリケーションの駆動を要請する段階；要請に応じて位置情報管理アプリケーションを駆動させると同時に、 位置情報管理アプリケーションとＬＢＳサーバーとを接続させる段階；ＬＢＳサーバーから移動通信端末に位置情報管理条件を伝送する段階；及び、条件を伝送された位置情報管理アプリケーションがその条件に沿って位置情報獲得及びアップロード有無をチェックした後に、ＬＢＳサーバーへ位置情報を伝送する段階；で構成されている。
2008507886.tif 000002
【特許請求の範囲】
【請求項１】
Ａ）ＬＢＳサーバーの要請に応じて移動通信端末の位置情報管理アプリケーションを駆動させ、上記位置情報管理アプリケーションと上記ＬＢＳサーバーとを接続させる段階；
Ｂ）上記ＬＢＳサーバーから上記移動通信端末に位置情報管理条件を伝送する段階；及び
Ｃ）上記位置情報管理条件を伝送された上記位置情報管理アプリケーションが位置情報獲得及びアップロード（Upload）有無によって上記ＬＢＳサーバーに位置情報を伝送する段階；を含むことを特徴とする移動通信端末の自動位置登録方法。
【請求項２】
上記移動通信端末は、
上記獲得した位置情報を上記ＬＢＳサーバーに伝送することを特徴とする請求項１に記載の移動通信端末の自動位置登録方法。
【請求項３】
上記移動通信端末は、
上記ＬＢＳサーバーからのリアルタイム位置情報要請メッセージにより、上記獲得した位置情報を上記ＬＢＳサーバーに伝送することを特徴とする請求項１に記載の移動通信端末の自動位置登録方法。
【請求項４】
上記移動通信端末は、
上記獲得した位置情報を周期的に上記ＬＢＳサーバーに伝送することを特徴とする請求項１〜３のうち何れか１項に記載の移動通信端末の自動位置登録方法。
【請求項５】
上記位置情報の獲得は、
位置測定のための特定サーバーとの通信無しで上記移動通信端末により直接行われることを特徴とする請求項１〜４のうち何れか１項に記載の移動通信端末の自動位置登録方法。
【請求項６】
上記位置情報の獲得は、
位置測定のための特定サーバーとの通信を通して上記移動通信端末により行われることを特徴とする請求項１〜４のうち何れか１項に記載の移動通信端末の自動位置登録方法。
【請求項７】
上記ＬＢＳサーバーは、
上記移動通信端末に位置情報管理条件を伝送し、それに沿って位置情報を受信することを特徴とする請求項１に記載の移動通信端末の自動位置登録方法。
【請求項８】
上記位置情報管理条件は、上記移動通信端末の位置情報管理アプリケーションによって受信され、
それに沿って上記位置情報管理アプリケーションが位置情報を獲得し、アップロードされた位置情報を上記ＬＢＳサーバーに伝送することを特徴とする請求項１に記載の移動通信端末の自動位置登録方法。
【請求項９】
上記位置情報管理条件は、
位置情報獲得及び伝送条件であり、これは時間的条件又は地理的条件を含むことを特徴とする請求項７又は８に記載の移動通信端末の自動位置登録方法。
【請求項１０】
上記時間的条件は、
位置情報獲得及び伝送開始時間、その周期、その終了時間を含むことを特徴とする請求項９に記載の移動通信端末の自動位置登録方法。
【請求項１１】
上記地理的条件は、
特定の交換機の管理領域、特定の複数の基地局グループの管理領域、特定の単数の基地局の管理領域、特定の基地局の中心及び基地局の座標と半径、特定の座標と半径及び／又は特定の住所情報を含むことを特徴とする請求項９に記載の移動通信端末の自動位置登録方法。
【請求項１２】
上記地理的条件は、
特定の住所情報のうち行政区域上最小の基本単位又は特定の住所情報の行政区域の地番及び半径を含むことを特徴とする請求項９に記載の移動通信端末の自動位置登録方法。
【請求項１３】
上記位置情報は、
特定の交換機が管理する領域に基づいてその正確度が算出されることを特徴とする請求項１に記載の移動通信端末の自動位置登録方法。
【請求項１４】
上記位置情報は、
複数の基地局グループの領域に基づいてその正確度が算出されることを特徴とする請求項１に記載の移動通信端末の自動位置登録方法。
【請求項１５】
上記位置情報は、
一つの基地局が管理する領域に基づいてその正確度が算出されることを特徴とする請求項１に記載の移動通信端末の自動位置登録方法。
【請求項１６】
上記位置情報は、
移動通信端末機に搭載されたＧＰＳを利用して得られる座標に基づいてその正確度が算出されることを特徴とする請求項１に記載の移動通信端末の自動位置登録方法。
【請求項１７】
上記位置情報は、
特定基地局及び交換機の代わりに移動通信端末上で位置測定がなされることによって獲得されることを特徴とする請求項１に記載の移動通信端末の自動位置登録方法。
【請求項１８】
上記位置情報獲得及び位置情報伝送は、
上記ＬＢＳサーバーの中止又は終了命令により中止されることを特徴とする請求項１に記載の移動通信端末の自動位置登録方法。
【請求項１９】
上記位置情報管理アプリケーションは、
過去の一定時点の位置情報と現在の一定時点の位置情報とを比較して、その位置の差をＬＢＳサーバーに伝送することを特徴とする請求項１に記載の移動通信端末の自動位置登録方法。
【請求項２０】
上記段階Ｃ）において、上記位置情報管理アプリケーションから上記ＬＢＳサーバーへの位置測定及び位置伝送は、
ＴＣＰ／ＩＰ Ｐｒｏｔｏｃｏｌ、ＨＴＴＰ Ｐｒｏｔｏｃｏｌ又はＳＯＡＰ Ｐｒｏｔｏｃｏｌの連結を通して行われることを特徴とする請求項１に記載の移動通信端末の自動位置登録方法。
【請求項２１】
上記段階Ｂ）において、上記ＬＢＳサーバーから上記移動通信端末への位置情報管理条件は、
ＳＭＳを利用して伝送されるか、上記移動通信端末から上記ＬＢＳサーバーへのＴＣＰ／ＩＰ接続後に、上記ＬＢＳサーバーから上記移動通信端末に伝送されることを特徴とする請求項１に記載の移動通信端末の自動位置登録方法。
【請求項２２】
ａ）移動通信端末の位置情報管理アプリケーションを駆動させ、上記位置情報管理アプリケーションとＬＢＳサーバーとを接続させる段階；
ｂ）上記ＬＢＳサーバーから上記移動通信端末に位置情報管理条件を伝送する段階；
ｃ）上記条件を伝送された上記位置情報管理アプリケーションが上記条件に沿って位置情報獲得及びアップロード有無を判断する段階；及び
ｄ）上記段階ｃ）の判断の結果、上記条件に符合する場合に、上記ＬＢＳサーバーへ位置情報を伝送する段階；を含むことを特徴とする移動通信端末の自動位置登録方法。
【請求項２３】
上記移動通信端末は、
上記ＬＢＳサーバーからリアルタイム位置情報要請メッセージを受けずに、上記獲得した位置情報を上記ＬＢＳサーバーに伝送することを特徴とする請求項２２に記載の移動通信端末の自動位置登録方法。
【請求項２４】
上記移動通信端末は、
上記獲得した位置情報を周期的に上記ＬＢＳサーバーに伝送することを特徴とする請求項２２又は２３に記載の移動通信端末の自動位置登録方法。
【請求項２５】
上記位置情報の獲得は、
位置測定のための特定サーバーとの通信無しで上記移動通信端末により直接 行われることを特徴とする請求項２２又は２３に記載の移動通信端末の自動位置登録方法。
【請求項２６】
上記位置情報は、
特定交換機が管理する領域、複数の基地局グループの領域、単数の基地局が 管理する領域又は移動通信端末機に搭載のＧＰＳを利用して得られる座標に基づいてその正確度が算出されることを特徴とする請求項２２に記載の移動通信端末の自動位置登録方法。
【請求項２７】
上記位置情報管理条件は、
位置情報獲得及び伝送条件を意味し、これは時間的条件又は地理的条件を含むことを特徴とする請求項２２に記載の移動通信端末の自動位置登録方法。
【請求項２８】
上記時間的条件は、位置情報獲得及び伝送開始時間、その周期、その終了時間を含み、
上記地理的条件は、特定交換機の管理領域、特定の複数の基地局グループの 管理領域、特定の単数の基地局の管理領域、特定基地局の中心及び基地局の座標と半径、特定の座標及び半径又は特定の住所情報を含むことを特徴とする請求項２７に記載の移動通信端末の自動位置登録方法。
【請求項２９】
イ）ＬＢＳサーバーが移動通信端末に内蔵された位置情報アプリケーションの駆動を要請する段階；
ロ）上記要請に応じて上記位置情報管理アプリケーションを駆動させ、 上記位置情報管理アプリケーションと上記ＬＢＳサーバーとを接続させる段階；
ハ）上記ＬＢＳサーバーから上記移動通信端末に位置情報管理条件を伝送する段階；
ニ）上記条件を伝送された上記位置情報管理アプリケーションが上記条件に沿って位置情報獲得及びアップロード有無を判断する段階；及び
ホ）上記段階ニ）での判断の結果、上記条件に符合する場合に、上記ＬＢＳサーバーに位置情報を伝送する段階；を含むことを特徴とする移動通信端末の自動位置登録方法。
【請求項３０】
上記段階ホ）において、上記位置情報管理アプリケーションから上記ＬＢＳサーバーへの位置情報伝送は、
ＴＣＰ／ＩＰ Ｐｒｏｔｏｃｏｌ、ＨＴＴＰ Ｐｒｏｔｏｃｏｌ又はＳＯＡＰ Ｐｒｏｔｏｃｏｌの連結を通して行われることを特徴とする請求項２９に記載の移動通信端末の自動位置登録方法。
【請求項３１】
上記段階ハ）において、上記ＬＢＳサーバーから上記移動通信端末へ伝送される位置情報管理条件は、
ＳＭＳを利用して伝送されるか、上記移動通信端末から上記ＬＢＳサーバーへのＴＣＰ／ＩＰ接続後に、上記ＬＢＳサーバーから上記移動通信端末に伝送されることを特徴とする請求項２９に記載の移動通信端末の自動位置登録方法。
【発明の詳細な説明】
【技術分野】
【０００１】
本発明は、位置基盤サービス（ＬＢＳ：Location Based Service）に関し、より詳しくは、位置基盤サービスのための移動端末の位置情報を獲得するために、移動端末から自動でプログラムを動作させて位置情報を獲得した後、与えられた条件を満足すればＬＢＳサーバーに伝送するようにすることで、位置情報関連サーバーの負荷を最小化した移動端末の自動位置登録方法に関するものである。
【背景技術】
【０００２】
既存の位置基盤サービスのためには、ＬＢＳサーバーの命令により、上記ＬＢＳサーバーが移動端末から位置情報を獲得することによって、特定移動端末の位置を探索する方式が主流をなしていた。この場合、位置情報が必要である度に上記ＬＢＳサーバーから特定移動端末に要請メッセージを伝送し、上記移動端末から位置情報を上記ＬＢＳサーバーに伝送するので、位置要請メッセージが発生する度に一定量のネットワークリソース（Resource）が必要となる。以下、図１及び図２を参照しながら、従来技術による移動通信端末の位置登録方法を説明する。
【０００３】
図１は従来技術による移動通信端末の位置登録システムを示す構成図であり、図２は従来技術による移動通信端末の位置登録方法を説明するための呼処理図である。
【０００４】
これら図に示されたように、参照符号１０は移動通信端末、３００は位置情報提供システム、４００はＬＢＳサーバーをそれぞれ示している。上記位置登録システム１００において、１１０は基地局（ＢＴＳ：Base Transceiver Station）、１２０は基地局制御装置（ＢＳＣ：Base Station Controller）、１３０はモバイルスイッチングセンター（ＭＳＣ：Mobile Switching Center）、１４０は網連動装置（ＩＷＦ：Interworking Facility）、１５０は信号交換システム（ＳＴＰ：Signal Transfer Point）、１６０は加入者位置登録機（ＨＬＲ：Home Location Register）を示している。そして、位置情報提供システム３００において、３１０は位置決定装置（ＰＤＥ：Positioning Determination Entity）を、３２０はモバイル位置センター（ＭＰＣ：Mobile Positioning Center）を示している。
【０００５】
上記位置登録システム１００は、信号交換システム１５０を介して位置情報提供システム３００の位置決定装置３１０及びモバイル位置センター３２０と接続される。
【０００６】
上記ＬＢＳサーバー４００は、移動通信端末の使用者の要請に応じて位置情報サービスを提供するものであり、望ましくは、上記位置情報提供システム３００のモバイル位置センター３２０とＴＣＰ／ＩＰで接続される。
【０００７】
図２を参照して、上記のように構成された従来技術による移動通信端末の位置登録システムの動作過程を説明すると、次の通りである。
【０００８】
まず、上記ＬＢＳサーバー４００は、上記モバイル位置センター３２０に位置サービスを要請する（Ｓ１１０）。すると、上記モバイル位置センター３２０は、サービスを要請した移動端末のＭＩＮ（Mobile Identification Number）に基づいてホーム位置登録機１６０にＳＭＳＲＥＱメッセージを伝送する（Ｓ１２０）。この時、上記ＳＭＳＲＥＱメッセージのパラメタのうちＳＭＳＮＯＴＩＮＤはＳＭＳペンディング防止方式を通して伝送される。
【０００９】
以後、上記ホーム位置登録機１６０は、上記モバイル位置センター３２０に ＳＭＳＲＥＱ結果メッセージを伝送する（Ｓ１３０）。これにより、上記モバイル位置センター３２０は、上記受信されたＳＭＳＲＥＱ搬送結果メッセージに含まれたＳＭＳＡＤＤＲを分析して、着信交換機におけるＧＰＳ基盤の位置サービス機能の可否を判断する。この時、上記モバイル位置センター３２０は、上記判断された着信交換機におけるＧＰＳ基盤の位置サービスの支援可否に基づいて、上記位置決定装置３１０にＧＰＯＳＲＥＱメッセージを伝送する（Ｓ１４０）。上記ＧＰＯＳＲＥＱメッセージとともに伝送されるパラメタには、ＭＯＢＩＮＦＯとＰＯＳＲＥＱＴＹＰＥ及びＭＰＣＡＰが含まれる。
【００１０】
以後、上記位置決定装置３１０は、ＩＳ−８０１−１規格に基づいて、位置基盤サービスが要請された移動端末の位置情報を得る（Ｓ１５０〜Ｓ２３０）。このようにして上記位置決定装置３１０に受信された移動端末の位置情報は、ｇｐｏｓｒｅｑメッセージに載って上記モバイル位置センター３２０に伝送される。上記ｇｐｏｓｒｅｑメッセージのパラメタにはＰＯＳＩＮＦＯとＰＯＳＲＥＳＵＬＴが含まれる。
【００１１】
これにより、上記モバイル位置センター３２０は、上記ＬＢＳサーバー４００に位置結果（Location Result）を伝送することになる（Ｓ２５０）。一方、上記位置決定装置３１０は、上記のように上記モバイル位置センター３２０にメッセージを伝送した後、上記モバイルスイッチングセンター（ＭＳＣ）にＳＭＤＰＰメッセージを伝送して、その内部に生成された該当資源を解除させる（Ｓ２６０〜Ｓ２９０）。
【００１２】
上記モバイル位置センター３２０は、移動通信交換網と上記ＬＢＳサーバー４００とのゲートウェイの役割をするものであり、上記ＬＢＳサーバー４００の位置情報要請に応じて上記移動通信端末１０に位置情報を要請し、上記移動通信端末１０から位置情報を受信すると、これを実際の地名情報に変換して上記ＬＢＳサーバー４００に伝送する役割をする。上記モバイル位置センター３２０を介して、上記ＬＢＳサーバー４００に位置情報が伝送されると、上記ＬＢＳサーバー４００は、これを多様な位置基盤サービスの提供に活用する。
【００１３】
上記の例は、ＧＰＳ基盤の位置確認方法に関するものであるが、既存の位置基盤サービスは、必要である度に基地局基盤の位置確認、上述したようなＧＰＳ基盤の位置確認又はＥＴＤＯＡなどの位置確認方式を用いて、ＬＢＳサーバーが、（１）端末に位置登録を要請した後、端末で位置情報を計算するように要求し、これによる位置値を受信するか、（２）基地局（或いは、これと類似した機能を担当する端末と無線通信を担当するシステム装備）或いはサーバーシステムで測定された端末の位置を受信する。
【００１４】
従って、これら方法は、全ての位置基盤サービスに対して、上記ＬＢＳサーバーからの位置確認要請が端末にまでなされなければならず、また、このためには、移動通信網のもう一つの装備（例えば、基地局基盤、ＧＰＳ基盤又はＥＴＤＯＡなどで位置確認をするためのシステム）と端末との通信及び持続的な位置データのアップロード（Upload）が必要である。
【００１５】
この時、位置確認は、毎度ＬＢＳサーバーの要請に応じて、位置確認システム（例えば、ＨＬＲ／ＭＳＣ、ＭＰＣ／ＰＤＥ、或いはこれと類似に位置測定などの役割を担当する装備）と端末との通信によってなされ、端末はこの値を上記位置確認システムを介するか、或いは直接ＬＢＳサーバーに伝送する。
【００１６】
このように、位置確認の度にいろいろな装備と端末との接続（Connection）及び通信（Communication）が必要となることによって、位置確認要請が多い場合に端末及び位置確認システムの両方に相当な負荷を誘発し、そのために高価な位置システム装備の増設が必要となり、移動通信網だけでなく周辺の関連サービスにも影響を及ぼし得る。
【００１７】
現在、韓国内の位置確認サービスは、Ｃｅｌｌ−ＩＤ基盤の位置確認とＡＧＰＳ基盤の位置確認とに区分して担当サーバーに要請し、その結果を活用して サービスを提供している。かかる方法は、殆ど全ての位置基盤サービスに対して、ＬＢＳサーバーからのＣｅｌｌ−ＩＤ要請の場合はＨＬＲ（ＧＳＭ、ＷＣＤＭＡにおいてホーム位置登録と類似した役割をする装備を含む）に位置情報を要請し、また、ＡＧＰＳの場合はＰＤＥに位置情報を要請する。これは、ＣＤＭＡネットワーク（ＨＬＲ及びＰＤＥ、またＭＳＣ、ＢＳＣ、ＢＴＳを含む）、ＧＳＭネットワーク又はＷＣＤＭＡネットワークを基盤にしており、位置登録が必要な無線ネットワーク及びＬＢＳサーバーの負荷を増加させる短所を有する（ＧＳＭ、ＷＣＤＭＡシステム又は他のシステム基盤の位置確認方法、例えばＥＴＤＯＡなどを使用する場合には、システム用語の相違が生じることもあるが、位置確認の進行における基本的な機能は類似している）。
【００１８】
特に、Ｃｅｌｌ−ＩＤ基盤の場合、ページ要請（Page Request）方式を使用しており、上記ページ要請が過重な場合、ネットワーク占有によって音声通話に 影響を及ぼすこともある。
【００１９】
一方、ＡＧＰＳの場合には、ＰＤＥと端末との間のＩＳ−８０１−１プロトコルを使用して位置測定を進行するが、要請件数が増加する場合に、高価なＰＤＥ装備の増設が要求され、これは、開発費の増加及びサービス開発の相当な障害要因となっている。また、現実的に周期的な位置要請が必要な場合に、ＨＬＲ、ＭＳＣ（Ｃｅｌｌ−ＩＤ基盤）及びＰＤＥ、ＭＳＣ（ＡＧＰＳ基盤）に過負荷を発生させることもあって、使用者の増加に限界が生じるとの問題点があった。
【発明の開示】
【発明が解決しようとする課題】
【００２０】
従って、本発明は、上記した従来技術の諸般問題点を解決するために案出されたものであり、本発明の目的は、ＬＢＳサーバー中心の位置獲得システムに代えて、移動通信端末中心の位置獲得システムを提示し、特定の領域に対して移動通信端末の位置を確認できるようにすることによって、上記ＬＢＳサーバーの負荷を最小化し、位置獲得の費用を最小化することができる移動通信端末の自動位置登録方法を提供することにある。
【００２１】
また、本発明の他の目的は、ＬＢＳサーバーから移動通信端末へのリアルタイムの位置情報要請無しに、移動通信端末で獲得した位置情報をＬＢＳサーバーへ直ぐに伝送することを特徴とする移動通信端末の自動位置登録方法を提供することにある。
【課題を解決するための手段】
【００２２】
上記目的を達成するために、本発明による移動通信端末の自動位置登録方法は、Ａ）ＬＢＳサーバーが移動通信端末に内蔵された位置情報アプリケーション（Application；図示せず）の駆動を要請する段階；Ｂ）上記要請に応じて上記位置情報管理アプリケーションを駆動させ、また、上記位置情報管理アプリケーションと上記ＬＢＳサーバーとを接続させる段階；Ｃ）上記ＬＢＳサーバーから上記移動通信端末に位置情報管理条件を伝送する段階；及び、Ｄ）上記条件を伝送された上記位置情報管理アプリケーションが、上記条件に沿って位置情報獲得及びアップロード（Upload）有無をチェックした後に、上記ＬＢＳサーバーへ位置情報を伝送する段階；を含むことを特徴とする。
【発明を実施するための最良の形態】
【００２３】
以下、添付図面を参照しながら本発明の望ましい実施例をより詳しく説明する。
【００２４】
図面に示したように、移動通信端末の自動位置登録方法は、ＬＢＳサーバー２０が移動通信端末１０に内蔵された位置情報アプリケーションの駆動を要請する段階（Ｓ１０）；上記要請に応じて上記位置情報管理アプリケーションを駆動させて、上記位置情報管理アプリケーションと上記ＬＢＳサーバー２０とを接続させる段階（Ｓ２０）；上記ＬＢＳサーバー２０から上記移動通信端末１０に位置情報管理条件を伝送する段階（Ｓ３０）；上記条件を伝送された上記位置情報管理アプリケーションが、上記条件に沿って位置情報獲得及びアップロード有無を判断する段階（Ｓ４０）；及び、上記ＬＢＳサーバー２０に位置情報を伝送する段階（Ｓ５０）；で構成される。
【００２５】
上記移動通信端末１０は、無線インターネットプロトコルを適用でき、ＷＡＰサービスによるＩＰプロトコル、Ｃａｌｌ Ｂａｃｋ ＵＲＬ及びＷＡＰプッシュを提供できる伝送網及びＩＰ Ｂａｃｋｂｏｎｅ網を通して、上記ＬＢＳサーバー２０と通信することができる。
【００２６】
上記の構成を有する、本発明による上記自動位置登録方法を、図３を参照しながら説明すれば、次の通りである。
【００２７】
図３は、本発明による自動位置登録方法を説明するための動作流れ図である。
【００２８】
まず、上記ＬＢＳサーバー２０は、上記移動通信端末１０に内蔵された位置情報アプリケーションの駆動を要請する（Ｓ１０）。以後、上記移動通信端末１０が上記位置情報管理アプリケーションを駆動すれば、これにより、上記位置情報管理アプリケーションと上記ＬＢＳサーバー２０との接続（Connection）がなされる（Ｓ２０）。この時、上記ＬＢＳサーバー２０が上記移動通信端末１０に位置情報獲得及び伝送条件を伝送する（Ｓ３０）。即ち、上記ＬＢＳサーバー２０は、リアルタイムの位置情報を上記移動通信端末１０に要請するのではなく、単に上記条件のみを伝送するのである。
【００２９】
上記ＬＢＳサーバー２０と上記移動通信端末１０との間の位置情報獲得及び伝送条件は、ＳＭＳを利用して伝送されるか、上記移動通信端末１０から上記ＬＢＳサーバー２０へのＴＣＰ／ＩＰ接続後に、上記ＬＢＳサーバー２０から 上記移動通信端末１０に伝送される。
【００３０】
上記位置情報獲得及び伝送条件は、時間的条件（決まった時間内に位置情報を伝送することを意味する）と地理的条件とに大別され、時間的条件には、位置情報獲得及び伝送開始時間、その周期、その終了時間が、地理的条件には、特定の交換機の管理領域、特定の複数の基地局グループの管理領域、特定の単数の基地局の管理領域、特定の基地局の中心及び基地局の座標と半径、特定の座標及び半径又は特定の住所情報が含まれる。
【００３１】
また、上記地理的条件は、特定の住所情報のうち行政区域上の‘区（例えば、江南区、鍾路区など）'や‘洞（例えば、瑞麟洞、筆洞など）'の名称でもよく、特定の住所情報の行政区域の地番及び半径でもよい。
【００３２】
上記位置情報獲得及び伝送条件等は、上記移動通信端末１０に内蔵された上記位置情報管理アプリケーションにより組合わされて位置情報が計算された後に、上記ＬＢＳサーバー２０に伝送される。
【００３３】
以後、上記条件を受信した上記位置情報管理アプリケーションは、上記条件に沿って位置情報獲得及びアップロードの有無を判断する（Ｓ４０）。この時、上記移動通信端末１０の上記位置情報管理アプリケーションは、上記ＬＢＳサーバー２０の位置情報管理条件と関係なく周期的に端末の位置を測定していて、上記ＬＢＳサーバー２０から上記位置情報管理条件を受信するようになれば、上記条件に沿って位置情報獲得及びアップロードの有無を判断する。
【００３４】
上記のように、上記位置情報管理アプリケーションの位置情報獲得は、位置測定のための特定サーバーとの通信無しに端末自体でなされることもあるが、端末と所定の位置測定サーバーとの通信を通して位置が獲得されることもある。
【００３５】
また、上記位置情報管理アプリケーションにより獲得された位置情報は、特定の交換機が管理する領域、単数の基地局が管理する領域、いくつかの基地局のグループ領域、及び上記移動通信端末１０に搭載のＧＰＳを利用して得られる座標に基づいてその正確度が算出される。また、上記位置情報管理アプリケーションにより獲得された位置情報は、上記移動通信端末１０で測定及び獲得された領域又はその地点に基づいてその正確度が算出されることもある。
【００３６】
以後、上記移動通信端末１０の上記位置情報管理アプリケーションは、上記位置情報管理条件に該当する場合にのみ、周期的に測定された位置情報を上記ＬＢＳサーバー２０に伝送する（Ｓ５０）。 この時、上記位置情報管理アプリケーションは、バックグラウンド（Background）状態、即ち、端末画面の 非活性化状態、又は使用者の非認知状態で行われる。
【００３７】
しかし、上記位置情報は、上記ＬＢＳサーバー２０に伝送されず、上記移動通信端末１０の上記位置情報管理アプリケーションで直ぐに使われることもある。
【００３８】
上記位置情報管理アプリケーションは、所定のデータベースを備えて上記獲得された位置情報を保存するが、過去の一定時点の位置情報と現在の一定時点の位置情報とを比較して、その位置の差を上記ＬＢＳサーバー２０に伝送するようになる。
【００３９】
最後に、上記位置獲得及び伝送過程は、上記ＬＢＳサーバー２０の中止又は終了命令により中止される。
【００４０】
上記移動通信端末１０と上記ＬＢＳサーバー２０との間の位置測定及び位置伝送は、ＴＣＰ／ＩＰ Ｐｒｏｔｏｃｏｌ、ＨＴＴＰ Ｐｒｏｔｏｃｏｌ又はＳＯＡＰ Ｐｒｏｔｏｃｏｌの連結を通して行われる。
【００４１】
上記位置情報の正確度は、サービス要求によって交換機の管理領域に基づいて算出されることもでき、いくつかの基地局をまとめて一つの地域として活用することもでき、基地局基盤で位置情報を使用する場合、より正確な方法であるＥＴＤＯＡ、ＴＤＯＡ、ＧＰＳ（ＡＧＰＳを含む）方式などに基づいて算出されることもできる。
【００４２】
従って、上記のように、本発明は、既存の方式が位置情報管理をＬＢＳサーバーで行い、位置測定の度に位置測定サーバー及びＬＢＳサーバーと端末との間の通信を行っていたのとは異なり、移動通信端末とＬＢＳサーバーとの間の位置測定及び管理のための通信量を最小化し、位置情報獲得及び伝送管理を端末上で行われるようにすると同時に、必要な場合にのみ（即ち、ＬＢＳサーバーからの要求条件が満足した場合にのみ）、位置情報をＬＢＳサーバーに伝送することによって位置情報の適時性を高めることができる。
【００４３】
上記のように、本発明による移動通信端末の自動位置登録方法は、韓国内で現在通用されているハンドセット基盤の技術であるＣｅｌｌ−ＩＤ方式及びネットワーク基盤の技術であるＧＰＳ方式だけでなく、位置を測位する 他の方式においても適用が可能なため、ＨＬＲ、位置測位サーバー（ＰＤＥ）、交換機（ＭＳＣ）、基地局システム（ＢＳＣ、ＢＴＳ）、ＬＢＳサーバーの負荷を減少させて、効率性を高めることができる。特に、この時端末自体で位置情報の計算及び判断が可能なため、ＨＬＲに加えられる負荷が激減されて、ＰＤＥに加えられる負荷もまたＴＴＦＦ（Time To First Fix）に消費される負荷を除いては、ほとんどなくなる。
【００４４】
使用者の要求に応じて、これら動作のうち１又は２種類の動作が個別的に実施されることができ、これは使用者の簡単なキー操作によって可能である。
【００４５】
従って、本発明によると、端末からの位置情報収集によって、システム装備に対する負荷の最小化を図ることができ、これにより、サービス料金の低価格化を実現することができる。従って、料金の問題で制約があった多くの位置基盤サービスを創出する効果を期待することができる。
【００４６】
また、本発明は、端末のアプリケーションをバックグラウンド状態で行い、周期的に位置情報を獲得／比較して条件に該当する場合にのみＬＢＳサーバーに該当位置情報を伝送することによって、位置獲得サーバーと端末との間の通信量を最小限にすると同時に、特定位置に到達したらリアルタイムでＬＢＳサーバーに位置を登録するようにすることによって、ゾーン（領域）基盤離脱／到着関連サービスに有用に適用することができる。
【００４７】
以上説明した本発明の実施例は、一つの実施例に過ぎず、本発明が上記実施例に限定されるものではない。また、上記実施例以外に多くの変更や変形が可能なことは勿論である。
【図面の簡単な説明】
【００４８】
【図１】従来技術による移動通信端末の位置登録システムを示した構成図である。
【図２】従来技術による移動通信端末の位置登録方法を説明するための呼処理図である。
【図３】本発明による移動通信端末の自動位置登録方法を説明するための動作の流れ図である。
【図１】
2008507886.tif 000003
【図２】
2008507886.tif 000004
【図３】
2008507886.tif 000005
【国際調査報告】
2008507886.tif 000006
2008507886.tif 000007